(57)【要約】      （修正有）【課題】補助レンズを使用しない時、邪魔にならず、また目立ちにくく、利便性を向上させることに好適な眼鏡を提供する。【解決手段】眼鏡は常用レンズ５を保持するレンズ保持部１０１と、レンズ保持部に設けられる一対のテンプル１０６を少なくとも備えるフレームと、テンプルの長手方向に並行するように位置される第１の状態からテンプルの長手方向とは異なる方向に沿って位置される第２の状態に変更可能なように、フレームに回転可能に設けられる補助レンズ部３０とを具備する。【選択図】図１
0003219515.tif 000002
【実用新案登録請求の範囲】
【請求項１】
レンズを保持するレンズ保持部と、当該レンズ保持部に設けられる一対のテンプルを少なくとも備えるフレームと、
前記テンプルの長手方向に並行するように位置される第１の状態から前記テンプルの長手方向とは異なる方向に沿って位置される第２の状態に変更可能なように、前記フレームに回転可能に設けられる第２レンズ部と、
を具備することを特徴とする眼鏡。
【請求項２】
前記レンズ保持部に保持されるレンズをさらに具備し、
前記第２レンズ部は、前記レンズとは異なる第２のレンズを有し、
前記第２のレンズは、前記第１の状態では前記レンズから離間され、前記第２の状態では前記レンズと対面すること
を特徴とする請求項１に記載の眼鏡。
【請求項３】
前記第２レンズ部の回転角度を規制する規制手段をさらに具備することを特徴とする請求項１または２に記載の眼鏡。
【請求項４】
前記一対のテンプルは、前記レンズ保持部と相対的に回転可能に設けられ、前記利用者に装着可能な第１の状態から当該第１の状態とは異なる第２の状態とに変更可能であり、この一対のテンプルの回転方向と、前記第２レンズ部の回転方向とは対応すること
を特徴とする請求項１ないし３いずれか記載の眼鏡。
【請求項５】
前記第２レンズ部の回転軸は、前記一対のテンプルの回転軸に並行することを特徴とする請求項４に記載の眼鏡。
【請求項６】
前記第２レンズ部は、前記テンプルまたは前記レンズ保持部に着脱可能に設けられることを特徴とする請求項１ないし５のいずれか記載の眼鏡。
【考案の詳細な説明】
【技術分野】
【０００１】
本考案は、顔にかけて使用する眼鏡に関する。
【背景技術】
【０００２】
眼鏡本体に着脱自在に取り付けられる独立した眼鏡、いわゆる前掛け眼鏡や補助眼鏡が知られている（以下、これらの眼鏡をたんに補助眼鏡という）。このような補助眼鏡には、眼鏡本体に取り付けたまま不必要なときは眼鏡本体の上方に回動させて跳ね上げておき、必要なときに跳ね上げ状態から利用可能な状態に回動させるタイプがある（例えば、特許文献１参照）。
【先行技術文献】
【特許文献】
【０００３】
【特許文献１】特開２００１−００４９５９号公報
【考案の概要】
【考案が解決しようとする課題】
【０００４】
上記のような、眼鏡本体の上方に回動させて跳ね上げておくタイプの補助眼鏡では、跳ね上げ状態のとき、メガネ本体のレンズ上方に補助レンズが配置されるため悪目立ちしやすく利便性がよいとは言い難かった。
【０００５】
本考案は、上記課題の解決のためになされたものであり、利便性を向上させることに好適な眼鏡を提供することを目的とする。
【課題を解決するための手段】
【０００６】
上記の課題を解決すべく、本考案に係る眼鏡は、レンズを保持するレンズ保持部と、当該レンズ保持部に設けられる一対のテンプルを少なくとも備えるフレームと、前記テンプルの長手方向に並行するように位置される第１の状態から前記テンプルの長手方向とは異なる方向に沿って位置される第２の状態に変更可能なように、前記フレームに回転可能に設けられる第２レンズ部と、を具備することを特徴とする。
【考案の効果】
【０００７】
本考案によれば、利便性を向上させることに好適な眼鏡を提供することができる。
【図面の簡単な説明】
【０００８】
【図１】実施形態に係る眼鏡の斜視図である。
【図２】実施形態に係る眼鏡のテンプルの基端部の拡大図である。
【図３】実施形態に係る眼鏡を横から見た側面図である。
【図４】実施形態に係る眼鏡を正面から見た正面図である。
【図５】実施形態に係る眼鏡が備える第２レンズ部を説明するための概略図である。
【図６】実施形態に係る眼鏡を上から見た上面図である。
【考案を実施するための形態】
【０００９】
（実施形態）
以下、図面を参照して本考案の実施形態を説明する。図１は、実施形態に係る眼鏡の斜視図である。図２は、実施形態に係る眼鏡のテンプルの基端部の拡大図である。図３は、実施形態に係る眼鏡を横から見た側面図である。図４は、実施形態に係る眼鏡を正面から見た正面図である。図５は、実施形態に係る眼鏡が備える第２レンズ部を説明するための概略図である。なお、図５では、アーム部３１０の先端部の一部を断面で示している。図６は、実施形態に係る眼鏡を上から見た上面図である。
【００１０】
各図は、ユーザが眼鏡１を装着する際の状態（眼鏡１の第１の状態）を図示しており、この後説明する左右のテンプル１０６が開いた状態を示している。ユーザが眼鏡１を装着せずに、左右のテンプル１０６を折りたたんだ状態（眼鏡１の第２の状態）については、図示を省略している。なお、テンプル１０６が開いたり折り畳まれたりしないタイプ（テンプル１０６が回転せずに固定されているタイプ）の眼鏡もあり、本考案はこのようなタイプも含まれる。
【００１１】
以下、眼鏡１及びこの眼鏡１が具備する各部位に符号をつけて詳細に説明するが、眼鏡１は、左右が略対称の構造であり、左右に共通する部位については同一の符号を付して一方のみを詳細に説明して残りの一方は詳細な説明は省略する。
【００１２】
左右に共通する部位をまとめて説明をする場合は、例えば「左右の補助レンズ部３０は…」のように記載する（補助レンズ部３０については後述する。）
【００１３】
図１に示すように実施形態の眼鏡１は、常用レンズ５（レンズ）、フレーム１０、補助レンズ部３０（第２レンズ部）を具備している。
【００１４】
眼鏡１は、一般的に「眼鏡」や「グラス」と言われる眼鏡である。眼鏡１には、常用レンズ５によって近視、遠視、老視等の視力矯正を行うものや、サングラス、偏光グラス、偏光サングラスなどのように目を保護するものや、伊達メガネ（常用レンズ５に度が入っていないもの。このようなレンズを平面レンズともいう）などのようにファッションアイテムとして用いられるものなど様々なタイプがある。可視光線や紫外線などの不可視光線によって色の濃淡が変わる調光機能を常用レンズ５が有していてもよい。
【００１５】
眼鏡１では、補助レンズ部３０を具備することによって、常用レンズ５の機能を補強したり、常用レンズ５とは異なる機能を眼鏡１に付加したりすることができる。このことは、後で詳細に説明する。
【００１６】
フレーム１０は、左右のリム１０１（レンズ保持部）、ブリッジ（山ともいう）１０２、左右のパッドアーム（パッド足やクリングスや箱足ともいう）１０３、左右のパッド（鼻あてともいう）１０４、左右の智（「ち」という。「よろい」ということもある）１０５、左右のテンプル（腕やつるともいう）１０６、左右の先セル（モダンや耳あてともいう）１０７を少なくとも備える。なお、図１では、左右のパッドアーム１０３の一方及び左右のパッド１０４の一方は、常用レンズ５の後ろ側に配置されていることを示すために破線で図示している。
【００１７】
以下、フレーム１０のうち、ユーザが眼鏡１を装着したときにユーザの顔の正面に位置する部分（少なくとも左右のリム１０１、ブリッジ１０２、左右の智１０５を含む部分）をフロントと称す。
【００１８】
フレーム１０は、眼鏡１の全体的な外観を形成しており、その形状はフレームラインとも呼ばれる。フレーム１０のフレームラインは、特に限定されず、例えば、オーバル型、ボストン型、スクエア型、ウェリントン型、ラウンド型などを採用することができる。
【００１９】
フレーム１０の素材も特に限定されず、例えば、セルフレーム、メタルフレーム、コンビフレームなどを採用することができる。
【００２０】
リム１０１は、常用レンズ５を保持する。リム１０１の形状も特に限定されず、例えば、フルリム型、ナイロール型などを採用することができる。なお、リム１０１を設けなくともよく、このような眼鏡１をリムレス型の眼鏡と呼ぶ。
【００２１】
ブリッジ１０２は、左右のリム１０１を接続する。ブリッジ１０２の上には、第２ブリッジ１０２ａが設けられる。第２ブリッジ１０２ａは、ブリッジ１０２を補強したり、装飾性を向上させたりするために設けられる。このようにブリッジ１０２及び第２ブリッジ１０２ａを持つ構造をツーブリッジやダブルブリッジという。
【００２２】
パッドアーム１０３は、フロントの所定の箇所に配置され、その先端側には、パッド１０４が取り付けられている。パッド１０４は、眼鏡１をユーザが装着した状態のときユーザの鼻に当接する。
【００２３】
智１０５は、リム１０１の外側（ブリッジ１０２が設けられる側に対する常用レンズ５を挟んだ反対側）に設けられる。智１０５は、テンプル１０６を回転可能に保持する。
【００２４】
テンプル１０６は、眼鏡１のフロントに対する横の部位であり、ユーザの耳にかけられる。テンプル１０６の先端側には、ユーザの耳への当接性を良くするために先セル１０７が取り付けられている。
【００２５】
テンプル１０６は、全体的に棒状に形成されており、基端側（智１０５に保持される側）の一部は、眼鏡１の内側（眼鏡１を装着したユーザのこめかみ側であり、反対側のテンプル１０６に向かう方向）に向かってわずかに凸状に湾曲しており、先端側に向かうにつれてフロントに対して略直角方向に延びるように形成されている（以下、この湾曲する部位を湾曲部１０６ａと称す。）。
【００２６】
テンプル１０６の所定の箇所には、テンプル１０６の長手方向に沿って貫通孔１０６ｂが設けられている。湾曲部１０６ａや貫通孔１０６ｂによって、眼鏡１の装飾性を高めることができる。
【００２７】
また、湾曲部１０６ａを設けることによって、補助レンズ部３０とテンプル１０６の間にクリアランス１０６ｃを形成することができる。クリアランス１０６ｃにユーザの指をいれることによって、補助レンズ部３０をつまみやすくなり、補助レンズ部３０の回転をスムーズに行うことができる。この補助レンズ部３０の回転については後述する。
【００２８】
テンプル１０６の基端側の端部には、テンプル１０６を智１０５に回転可能に取り付けるため、及び、補助レンズ部３０を回転可能に保持するための保持部１１０が形成されている。
【００２９】
図２に示すように保持部１１０は、全体的に丸みを帯びた略四角柱状または略楕円柱状に形成されており、フロントの長手方向に沿って眼鏡１の外側に突出している。保持部１１０の上面部１１０ａは、テンプル１０６の湾曲部１０６ａに繋がっている。
【００３０】
保持部１１０の両端部には、保持部１１０の側面１１０ｂを前後方向（図２において、フロント及びテンプル１０６を図４のように正面からみた場合に、手前から奥に向かう方向）に貫通するように設けられた開口１１０ｃ及び開口１１０ｄが形成されている。
【００３１】
開口１１０ｃを含む保持部１１０の一方の端部は、眼鏡１の第１のヒンジ部として機能する。詳述すると開口１１０ｃは、保持部１１０の内側端部（眼鏡１を装着時のユーザのこめかみ側に位置し、反対側のテンプル１０６の保持部１１０と対向する側の端部）に設けられており、智１０５の端部１０５ａが挿入される。なお、第１のヒンジ部のヒンジとしての構成は、公知の機構を適用可能であり詳細な説明は省略する。
【００３２】
開口１１０ｃ内では、智１０５の端部１０５ａがフロントの長手方向に略直角な回転軸Ａｘ１を持つ軸１１０ｅによって回転可能に軸支されている（逆に言えば、テンプル１０６が回転軸Ａｘ１を持つ軸１１０ｅによって智１０５に回転可能に軸支されている。）。
【００３３】
結果的にテンプル１０６が、智１０５を含むフロントと相対的に回転可能に取り付けられることになり、テンプル１０６が、フロントに対して折りたたまれる状態（眼鏡１の第２の状態）やフロントに対して略垂直に開かれた状態（眼鏡１の第１の状態）に遷移可能になる。
【００３４】
開口１１０ｄを含む保持部１１０の他方の端部は、眼鏡１の第２のヒンジ部として機能する。詳述すると開口１１０ｄは、保持部１１０の外側端部（開口１１０ｃが設けられた方とは逆の端部）に設けられている。開口１１０ｄ内には補助レンズ部３０の一部（この後説明するアーム部３１０の基端部）が挿入される。なお、この第２のヒンジ部のヒンジとしての構成は、第１のヒンジ部と同様に公知の機構を適用可能であり詳細な説明は省略する。
【００３５】
開口１１０ｄ内では、アーム部３１０の基端部が、回転軸Ａｘ１と並行する回転軸Ａｘ２を持つ軸１１０ｆによって回転可能に軸支されている。
【００３６】
結果的に、補助レンズ部３０が、テンプル１０６と相対的に、または、智１０５を含むフロントと相対的に回転可能に取り付けられる。
【００３７】
保持部１１０の側面１１０ｂは、補助レンズ部３０の回転角度を規制する規制手段として機能する。詳述すると、補助レンズ部３０は、図６に示すようにテンプル１０６の長手方向に並行するように位置される状態（第１の状態）から常用レンズ５の前面に位置される状態（第２の状態）に遷移するが、第２の状態になるとき、回転してきた補助レンズ部３０のアーム部３１０と側面１１０ｂの一部（図２中の符号「１２０」参照。以下、この部分を側面１１０ｂの一部１２０と称す。）が接触して、第２の状態になる方向への回転を規制する。
【００３８】
回転が規制されない場合、補助レンズ部３０が、常用レンズ５と接触して、常用レンズ５がダメージを受けてしまう恐れがあるが、側面１１０ｂの一部１２０が補助レンズ部３０の回転を規制することで、常用レンズ５と接触する前に補助レンズ部３０は停止するので、常用レンズ５がダメージを受けてしまうことを抑制することができる。
【００３９】
図示は省略したが側面１１０ｂの裏側の保持部１１０の側面は、側面１１０ｂと対応しており、この裏側の側面の一部も補助レンズ部３０の回転角度を規制する規制手段として機能する。詳述すると、補助レンズ部３０が、図６に示すように常用レンズ５の前面に位置される状態（第２の状態）からテンプル１０６の長手方向に並行するように位置される状態（第１の状態）に遷移する場合、回転してきた補助レンズ部３０のアーム部３１０と側面１１０ｂの反対側の面の一部（側面１１０ｂの反対側の面における、図２中の側面１１０ｂの一部１２０と対応する部分）が接触して、第１の状態に戻る方向への回転を規制する。
【００４０】
この結果、補助レンズ部３０が、テンプル１０６を超えて内側に入り込んでしまうことを抑制することができる。
【００４１】
なお、図２では、側面１１０ｂの一部１２０含む側面１１０ｂは壁状（平面状）に形成されているが、回転を規制可能であれば形状は特に限定されず、例えば、側面１１０ｂの一部１２０を柱状に残して残り部分は、開口１１０ｃとしてもよい。
【００４２】
この場合、側面１１０ｂを正面から見ると略工状となり、テンプル１０６は軽量化される。上記したように、側面１１０ｂと対応する「側面１１０ｂの裏側の保持部１１０の側面」も同様である。
【００４３】
補助レンズ部３０は、図３に示すようにアーム部３１０、補助レンズ３２０（第２のレンズ）及び保持部３３０を備える。
【００４４】
図３に示すように眼鏡１を横から見ると、第１の状態のアーム部３１０は全体的に略クランク状に形成されている。詳述すると、アーム部３１０は、テンプル１０６の開口１１０ｄに軸支された一端部を基端側とした場合、その反対側である先端側に向かって略まっすぐにテンプル１０６に沿って延びた後、下り坂状に形成され、その後ふたたび先端側に向かって略まっすぐにテンプル１０６に沿って延びている。
【００４５】
アーム部３１０の下り坂状に形成されている部位によって、テンプル１０６とアーム部３１０の間があき、クリアランス１０６ｃを拡大させることができ、補助レンズ部３０の回転の際の操作性を向上させることができる。このことによっても利便性が向上する。
【００４６】
補助レンズ３２０は、図４に示すように正面から見ると、リム１０１と対応する部分が、リム１０１の輪郭に対応するように曲線的に形成される（図４では弧状に形成されている）。このことにより、補助レンズ３２０が常用レンズ５の前方に回転移動した際に、悪目立ちせずにすっきりとした見た目になる。
【００４７】
補助レンズ３２０の大きさと形状は、常用レンズ５の略４分の１以上であることが望ましい。この実施形態では、常用レンズ５の下半分（図４に示すように常用レンズ５を正面からみたときの下半分）を概ね覆うことが可能な大きさと形状に形成されている。ただし、例えば、常用レンズ５の上半分を覆うようにしたり、右半分を覆うようにしたり、左半分を覆うようにしたり、常用レンズ５の中央部分を覆うようにしたりするなど、補助レンズ３２０の大きさと形状には様々なバリエーションが考えられる。
【００４８】
補助レンズ３２０は、常用レンズ５が有することが可能な様々な機能を有しており、眼鏡１の常用レンズ５の前方に回転移動されて常用レンズ５と異なる機能を眼鏡１に付加したり、常用レンズ５の機能を補強したりする。
【００４９】
すなわち、補助レンズ３２０は、近視、遠視、老視等の視力矯正を行う機能や、サングラス、偏光グラス、偏光サングラなどのように目を保護する機能、拡大機能（所謂ルーペ）のうち少なくとも一つの機能を備えている。
【００５０】
この他にも、補助レンズ３２０は、所定の周波数の可視光線や不可視光（例えば、紫外線）をカットまたは減衰させる機能、色のフィルタリング機能、光を反射する機能のうちの少なくとも１つを有するものであってもよい。補助レンズ３２０は度が入っていなくてもよい（所謂、平面レンズ）。
【００５１】
上記した様々な機能を有するのであれば、補助レンズ３２０の色は特に限定されず、所定の色を有してもよいし無色であってもよい。また、可視光線や紫外線などの不可視光線によって色の濃淡が変わる調光機能を補助レンズ３２０が有していてもよい。
【００５２】
例えば、補助レンズ３２０が拡大機能を有し、常用レンズ５がサングラスの場合、補助レンズ３２０によってサングラスに拡大機能を付加することができる。
【００５３】
また、例えば、常用レンズ５もルーペである場合には、補助レンズ３２０によって倍率を変える（拡大機能を補強する）ことができる。なお、拡大機能の補強には、倍率を高めてものを大きく見せることと、反対に倍率を低めてものを小さく見せることなどが含まれる。
【００５４】
このように補助レンズ３２０と常用レンズ５との組み合わせで様々な使い方が実現できる。
【００５５】
図５に示すように補助レンズ３２０は、保持部３３０に保持されて、アーム部３１０の先端側に着脱自在に装着される。このことにより、様々な機能を個々に有する複数の補助レンズ３２０をユーザの必要に合わせて取り換えて使用することができる。また、補助レンズ３２０が壊れた場合にも簡単に取り換えることができる。
【００５６】
保持部３３０は、補助レンズ保持部３３１及び挿入部３３２を備える。
【００５７】
図５に示すように補助レンズ３２０の幅広の面を正面から見ると、補助レンズ保持部３３１は、例えば、略Ｃ字状、略Ｕ字状、略コ字状、略ワ字状などに形成され、補助レンズ３２０を側方から保持する。
【００５８】
挿入部３３２は、全体として細長い略Ｕ字状（または略つ字状ともいう）を有している。詳細に説明すると、挿入部３３２は、補助レンズ保持部３３１の所定の個所を基端側として補助レンズ３２０とは反対方向に突き出るように延設されており、延設の途中で下方向に向かって曲がりながら基端側の方にＵターンしている。Ｕターン部分から延びる先端部３３２ｂは、Ｕターン部分からやや下方向に向かいながら基端側に向かって延びている。
【００５９】
Ｕターン後の挿入部３３２の一部は、Ｕターン前の挿入部３３２の一部に向かう凸状に蛇行している（以下、蛇行部３３２ｃと称す）。蛇行部３３２ｃとＵターン前の挿入部３３２の一部の間にはわずかに隙間３３２ｄが設けられている。
【００６０】
挿入部３３２のアーム部３１０への着脱について詳細に説明する。挿入部３３２は、Ｕターンした部位を先頭にしてアーム部３１０の先端部に挿入される。アーム部３１０の先端部は、アーム部３１０を受け入れるために開口されており、内部は中空になっている。この開口及び内部の直径は、挿入部３３２の高さＨ１と略同じ（挿入部３３２が挿入可能なように若干大きい）である。高さＨ１は、Ｕターン前の挿入部３３２の上面からＵターン直後の挿入部３３２の底面間の長さである。
【００６１】
ただし、開口及び内部の直径は、挿入部３３２の高さＨ２よりも低い（短い）。高さＨ２は、Ｕターン前の挿入部３３２の上面から先端部３３２ｂの底面間の長さであり、先端部３３２ｂがＵターン部分からやや下方向に下がりながら基端側に向かう分だけ高さＨ１よりも高く（長くなる）。
【００６２】
挿入部３３２は、Ｕターン部を起点にして、隙間３３２ｄ分だけ、Ｕターン後の部位が上下に弾性的に変位する。したがって、アーム部３１０に挿入される際には、Ｕターン後の部位が上方に変位して、高さＨ２は高さＨ１とほぼ等しくなる。なお、上方への弾性的な変位は、蛇行部３３２ｃによって規制され、Ｕターン後の部位が無理に上方に変位してしまうことが抑制される。
【００６３】
挿入部３３２の先端部３３２ｂが、アーム部３１０の下面３１０ａに設けられた孔３１０ｂの位置まで挿入されると、Ｕターン後の部位は弾性によって下方向に戻ろうとするので先端部３３２ｂは、孔３１０ｂに入り込み一部が孔３１０ｂから露出する。
【００６４】
このとき、先端部３３２ｂは、孔３１０ｂの縁３１０ｃ（内周面）と同じ高さに位置する。この状態のときに、挿入部３３２をアーム部３１０から引き抜こうとしても先端部３３２ｂが、孔３１０ｂの縁３１０ｃに当接して抜けることがない。この結果、挿入部３３２（すなわち保持部３３０及び補助レンズ３２０）がアーム部３１０から不用意に脱落してしまうことが抑制される。
【００６５】
挿入部３３２（すなわち保持部３３０）をアーム部３１０から抜きたいときは、孔３１０ｂから先端部３３２ｂをアーム部３１０内部に向かって押し上げつつ挿入部３３２を引けばよい。
【００６６】
（使用方法）
補助レンズ３２０を使用したい場合、ユーザは、例えば図１などに示したクリアランス１０６ｃに指を入れて、テンプル１０６の長手方向に並行するように位置される状態（第１の状態）の補助レンズ部３０を引き出し、そのまま常用レンズ５の前に来るように回転させる。
【００６７】
このとき、左右の補助レンズ部３０は、軸１１０ｆを回転軸にして図６に示すような軌道で眼鏡１の横方向から回り込みながら、左右の補助レンズ部３０は、先端部が互いに向かい合うように回転して、図４に示したような状態（第２の状態）となる。補助レンズ部３０を元の位置に戻す場合には、この逆の動作を行えばよい。
【００６８】
眼鏡１を使用しないとき、ユーザは、軸１１０ｅを回転軸にしてテンプル１０６を図６の矢印Ａ１に示す方向に折り畳むことができる。最終的にテンプル１０６は、フロントと略並行するように折りたたまれる。このとき、補助レンズ部３０は、テンプル１０６と一体的に矢印Ａ１方向に回転する。補助レンズ部３０は、軸１１０ｆによって、テンプル１０６と略並行する状態に回転できるので、最終的には、テンプル１０６と同様にフロントと略並行する状態となる。
【００６９】
したがって、テンプル１０６が折り畳まれた状態のとき、補助レンズ部３０が外側に飛び出して邪魔になってしまうことがない。このことにより、必要以上に眼鏡１を置く場所をとってしまうことがない。
【００７０】
補助レンズ部３０は、テンプル１０６が折りたたまれた状態のときに独立して回転させることができる。テンプル１０６を折り畳んだまま、補助レンズ部３０を例えば図６に実線で示した位置まで回転させれば、眼鏡１をかけなくとも補助レンズ部３０を使用することができる。このとき、フロント及びテンプル１０６を柄のように使用してもよい。補助レンズ部３０は、回転自在なので、ユーザの使いやすい位置で補助レンズ部３０を使用することができる。
【００７１】
以上説明したように、本考案の眼鏡１は、レンズ（常用レンズ５）を保持するレンズ保持部（リム１０１）と、当該レンズ保持部に設けられる一対のテンプル１０６を少なくとも備えるフレーム１０と、前記テンプルの長手方向に並行するように位置される第１の状態（眼鏡１装着時に補助レンズ部３０を使用しない状態）から前記テンプルの長手方向とは異なる方向に沿って位置される第２の状態（眼鏡１装着時に補助レンズ部３０を使用する状態）に変更可能なように、前記フレームに回転可能に設けられる第２レンズ部（補助レンズ部３０）とを具備することを特徴とする。
【００７２】
補助レンズ部３０は、第１の状態（眼鏡１装着時に補助レンズ部３０を使用しない状態）のときは、テンプル１０６の長手方向に並行するように配置されており、跳ね上げておくタイプの補助眼鏡のように眼鏡１の常用レンズ５の上方に補助レンズ部３０が配置されないので、悪目立ちせずすっきりとした見た目になるので、眼鏡１はデザイン性がよく、ユーザが眼鏡１をかけるモチベーションを向上させることができる。
【００７３】
また眼鏡１は、補助レンズ部３０を回転させることで第２の状態（眼鏡１装着時に補助レンズ部３０を使用する状態）にすることができるので、ユーザが使用したいときにすぐに補助レンズ部３０を利用することができる。
【００７４】
以上のことから眼鏡１は、利便性を向上させることができる。
【００７５】
眼鏡１は、前記レンズ保持部（リム１０１）に保持されるレンズ（常用レンズ５）をさらに具備し、前記第２レンズ部（補助レンズ部３０）は、前記レンズとは異なる第２のレンズ（補助レンズ３２０）を有し、前記第２のレンズは、前記第１の状態では前記レンズから離間され、前記第２の状態では前記レンズと対面することを特徴とする。
【００７６】
常用レンズ５と補助レンズ３２０はそれぞれ独立的に設けられ、補助レンズ３２０は、常用レンズ５の機能を補強したり、常用レンズ５とは異なる機能を眼鏡１に付加したりすることができる。このような補助レンズ３２０が回転可能に設けられているので、ユーザが使用したいときにすぐに補助レンズ部３０を利用することができる。
【００７７】
眼鏡１は、前記第２レンズ部（補助レンズ部３０）の回転角度を規制する規制手段（側面１１０ｂの一部１２０及び／またはこの側面１１０ｂの裏側の面の一部）をさらに具備することを特徴とする。
【００７８】
すでに説明したように、側面１１０ｂの一部１２０を備えることによって補助レンズ部３０の回転によって常用レンズ５がダメージを受けてしまうことを抑制したり、補助レンズ部３０が、テンプル１０６を超えて内側に入り込んでしまうことを抑制したりすることができる。
【００７９】
前記一対のテンプル１０６は、前記保持部（リム１０１）と相対的に回転可能に設けられ、前記利用者（ユーザ）に装着可能な第１の状態から当該第１の状態とは異なる第２の状態とに変更可能であり、この一対のテンプルの回転方向と、前記第２レンズ部（補助レンズ部３０）の回転方向とは対応する。
【００８０】
このとき、前記第２レンズ部の回転軸（軸１１０ｆ）は、前記一対のテンプルの回転軸（軸１１０ｅ）に並行する。
【００８１】
このような構成によって、眼鏡１装着時に補助レンズ部３０を使用しない状態のとき補助レンズ部３０をテンプル１０６の長手方向に並行するように配置させることができる。また、すでに説明したように眼鏡１を使用しないとき、補助レンズ部３０をテンプル１０６と同様にフロントと略並行する状態にできるので、補助レンズ部３０が外側に飛び出して邪魔になってしまうことがなく、必要以上に眼鏡１を置く場所をとってしまうことがない。
【００８２】
前記第２レンズ部（補助レンズ部３０）は、前記テンプル１０６または前記レンズ保持部（リム１０１）に着脱可能に設けられることを特徴とする。
【００８３】
このような構成によって、すでに述べたように様々な機能を個々に有する複数の補助レンズ３２０をユーザの必要に合わせて取り換えて使用することができる。また、補助レンズ３２０が壊れた場合にも簡単に取り換えることができる。
【００８４】
前記第２レンズ部（補助レンズ部３０）が有するレンズ（補助レンズ３２０）は、度有りまたは度無しのどちらかであり、かつ有色または無色に形成されることを特徴とする。
【００８５】
このような構成によって、補助レンズ３２０の上述した様々な機能を実現することができる。
【００８６】
（その他の実施形態）
以上、本考案の実施形態について説明したが、本考案は、様々な変形が可能である。例えば、補助レンズ部３０をテンプル１０６ではなくリム１０１や常用レンズ５に設けるようにしてもよい。
【００８７】
左右の補助レンズ３２０で機能を互いに異ならせてもよい。また、上記実施形態では、補助レンズ部３０を左右に一つずつ設けたが、複数の補助レンズ部３０を左右にそれぞれ設けてもよい。このとき、補助レンズ部３０の数は左右で異なっていてもよい。補助レンズ部３０を左右のどちらか一方にのみ設けるようにしてよい。
【産業上の利用可能性】
【００８８】
以上のように、本考案は利便性を向上させることに好適な眼鏡を提供することができる。
【符号の説明】
【００８９】
１        眼鏡
５        常用レンズ
１０      フレーム
３０      補助レンズ部
１０１    リム
１０２    ブリッジ
１０２ａ  第２ブリッジ
１０３    パッドアーム
１０４    パッド
１０５    智
１０５ａ  端部
１０６    テンプル
１０６ａ  湾曲部
１０６ｂ  貫通孔
１０６ｃ  クリアランス
１０７    先セル
１１０    保持部
１１０ａ  上面部
１１０ｂ  側面
１１０ｃ  開口
１１０ｄ  開口
１１０ｅ  軸
１１０ｆ  軸
１２０    側面１１０ｂの一部
３１０    アーム部
３１０ａ  下面
３１０ｂ  孔
３１０ｃ  縁
３２０    補助レンズ
３３０    保持部
３３１    補助レンズ保持部
３３２    挿入部
３３２ｂ  先端部
３３２ｃ  蛇行部
３３２ｄ  隙間
【図１】
0003219515.tif 000003
【図２】
0003219515.tif 000004
【図３】
0003219515.tif 000005
【図４】
0003219515.tif 000006
【図５】
0003219515.tif 000007
【図６】
0003219515.tif 000008